(57)【特許請求の範囲】
【請求項１】
ケージに収納され、
第２案内スロットを有する本体と、
第１案内スロットを有し、前記本体に枢接されたハンドルと、
前記本体の摺動スロットに摺動可能に取り付けられた少なくとも一つの摺動アームを有し、少なくとも一つの第２接続部材が前記第１案内スロットと前記第２案内スロットを貫通することによって前記本体および前記ハンドルと接続され、前記ハンドルが回転されると、前記摺動スロットに沿って摺動する摺動部材とを備えることを特徴とする、光ファイバ通信モジュール。
【請求項２】
前記摺動アームは、少なくとも一つの折れ曲がり部を含み、前記摺動アームの一端部が凸部を有し、前記折れ曲がり部と前記凸部との間に斜面が設けられたことを特徴とする、請求項１に記載の光ファイバ通信モジュール。
【請求項３】
前記ケージは、さらに少なくとも一つの弾性部材が設けられ、前記弾性部材が前記折れ曲がり部に当接することにより、前記光ファイバ通信モジュールを前記ケージにロック固定されることを特徴とする、請求項２に記載の光ファイバ通信モジュール。
【請求項４】
前記本体は、さらに、第１係止部を有し、前記ハンドルは、さらに、前記第１係止部に係止する第２係止部を有することを特徴とする、請求項１に記載の光ファイバ通信モジュール。
【請求項５】
前記ハンドルは、少なくとも一つの第１接続部材によって前記本体の少なくとも一つの側面に枢接されることを特徴とする、請求項１に記載の光ファイバ通信モジュール。
【請求項６】
前記第１接続部材は、ボルトであることを特徴とする、請求項５に記載の光ファイバ通信モジュール。
【請求項７】
前記第２接続部材は、リベットであることを特徴とする、請求項１に記載の光ファイバ通信モジュール。
【請求項８】
回路基板と、
前記回路基板に連結されたケージと、
光ファイバ通信モジュールとを具備し、
光ファイバ通信モジュールは、
前記ケージに収納され、第２案内スロットを有する本体と、第１案内スロットを有し、前記本体に枢接されたハンドルと、前記本体の摺動スロットに摺動可能に取り付けられた少なくとも一つの摺動アームを有し、少なくとも一つの第２接続部材が前記第１案内スロットと前記第２案内スロットを貫通することによって前記本体および前記ハンドルと接続され、前記ハンドルが回転されると、前記摺動スロットに沿って摺動する、摺動部材と、を備えることを特徴とする、光ファイバ通信装置。
【請求項９】
前記摺動アームは、少なくとも一つの折れ曲がり部を含み、前記ケージは、さらに、少なくとも一つの弾性部材が設けられ、
前記弾性部材は、前記折れ曲がり部に当接することにより、前記光ファイバ通信モジュールを前記ケージにロック固定し、
前記摺動アームは、その一端部が凸部を有し、前記折れ曲がり部と前記凸部との間に斜面が設けられたことを特徴とする、請求項８に記載の光ファイバ通信装置。
【請求項１０】
前記凸部は、くさび形部であることを特徴とする、請求項９に記載の光ファイバ通信装置。
【請求項１１】
前記本体は、さらに、第１係止部を有し、前記ハンドルは、さらに、前記第１係止部に係止する第２係止部を有することを特徴とする、請求項８に記載の光ファイバ通信装置。
【請求項１２】
前記ハンドルは、少なくとも一つの第１接続部材によって前記本体の少なくとも一つの側面に枢接されることを特徴とする、請求項８に記載の光ファイバ通信装置。
【請求項１３】
前記第１接続部材は、ボルトであることを特徴とする、請求項１２に記載の光ファイバ通信装置。
【請求項１４】
前記第２接続部材は、リベットであることを特徴とする、請求項８に記載の光ファイバ通信装置。
【発明の詳細な説明】
【技術分野】
【０００１】
本発明は、光ファイバ通信装置及びその光ファイバ通信モジュールに関し、特に、組み立てが簡単で、構造が安定し、コストを有効に低減するとともに、製品の信頼性を向上する光ファイバ通信装置及びその光ファイバ通信モジュールに関する。
【背景技術】
【０００２】
近年、コンピューターシステム及びその周辺装置の高速な発展に伴い、デジタル信号伝送や画像解析等の複雑な作業に対応するために、情報の伝送速度も増加する必要がある。この要請により、従来の電気的な接続の代わりに、長距離や短距離の信号伝送に適用でき、高速度の光信号を利用して、情報の伝送速度を増加する光ファイバ技術が開発されている。
【０００３】
光ファイバ通信モジュール(fiber optical communication module)は、電子装置間の信号伝送に用いられ、光ファイバトランシーバモジュール(fiber optical transceiver module)と駆動/受信回路モジュール(driver/receiver circuitry module)とから構成される。なお、光ファイバトランシーバモジュールは、一般に、光エミッタ(light emitting device)と光検出器(light detecting device)と、を有する。
【０００４】
図１は、従来の光ファイバ通信装置１を示す斜視図である。図１に示すように、従来の光ファイバ通信装置１は、光ファイバ通信モジュール１０が回路基板１１に配置されたケージ１２(cage)に挿入され、回路基板１１のコネクタ１３と連結してから、全体としてルータまたはコンピューター等の主システムに取り付けられる。ここで、様々なシステムの規格に対応するために、光ファイバ通信モジュール１０は、ケージ１２に挿脱可能に収納される。
より詳しく説明すると、光ファイバ通信モジュール１０は、通常、ケージ１２とのロック固定及びロック解除の機能を提供するためのラッチ構造１０１(latch mechanism)を有する。
【０００５】
図２に示すように、従来の光ファイバ通信モジュール１０のラッチ構造１０１は、第１摺動アーム１０２と、第２摺動アーム１０３と、ハンドル１０４と、を含む。
第１摺動アーム１０２と第２摺動アーム１０３は、実質的に平行し、それぞれ、ケージ１２の対向する側面に設けられる。また、これらの摺動アーム１０２、１０３は、それぞれ、一端に凸部１０５が設けられるとともに、その内側面に弾性部材１０６が設けられる。
ハンドル１０４をこれらの摺動アーム１０２、１０３に垂直に当接すると、摺動アーム１０２、１０３上の弾性部材１０６が圧縮され、凸部１０５がケージ１２の側面の内へ突設された弾性シート１２１に係止することにより、光ファイバ通信モジュール１０をケージ１２にロック固定する。一方、ハンドル１０４を回転することにより摺動アーム１０２、１０３が脱落すると、弾性部材１０６の回復力によって、光ファイバ通信モジュール１０が一方向に沿って摺動しケージ１２からロック解除される。
【発明の開示】
【発明が解決しようとする課題】
【０００６】
上述したように、従来のラッチ構造１０１は、複数の部品から組み立ててなるため、組立上の困難の外に、製造と部材の管理コストも高くなる。また、ラッチ構造１０１の弾性部材１０６が、ロックとロック解除の繰り返す過程で弾性疲労が生じて、本来の機能を失ってしまう。
【０００７】
本発明は、上記問題を鑑みてなされたものであり、組み立てが簡単で、構造が安定し、コストを有効に低減するとともに、製品の信頼性を向上する、光ファイバ通信装置及びその光ファイバ通信モジュールを提供することを目的とする。
【課題を解決するための手段】
【０００８】
本発明にかかる（請求項１にかかる）光ファイバ通信モジュールは、ケージに収納され、第２案内スロットを有する本体と、第１案内スロットを有し、前記本体に枢接されたハンドルと、前記本体の摺動スロットに摺動可能に取り付けられた少なくとも一つの摺動アームを有し、少なくとも一つの第２接続部材が前記第１案内スロットと前記第２案内スロットを貫通することによって前記本体および前記ハンドルと接続され、前記ハンドルが回転されると、前記摺動スロットに沿って摺動する摺動部材とを備えることを特徴とする。
【０００９】
本発明の請求項２にかかる光ファイバ通信モジュールは、前記摺動アームが、少なくとも一つの折れ曲がり部を含み、前記摺動アームの一端部が凸部を有し、前記折れ曲がり部と前記凸部との間に斜面が設けられたことを特徴とする、請求項１に記載の光ファイバ通信モジュールである。
【００１０】
本発明の請求項３にかかる光ファイバ通信モジュールは、前記ケージが、さらに少なくとも一つの弾性部材を設けられ、前記弾性部材が前記折れ曲がり部に当接することにより、前記光ファイバ通信モジュールを前記ケージにロック固定されることを特徴とする、請求項２に記載の光ファイバ通信モジュールである。
【００１１】
本発明の請求項４にかかる光ファイバ通信モジュールは、前記本体が、さらに、第１係止部を有し、前記ハンドルが、さらに、前記第１係止部に係止する第２係止部を有することを特徴とする、請求項１に記載の光ファイバ通信モジュールである。
【００１２】
本発明の請求項５にかかる光ファイバ通信モジュールは、前記ハンドルが、少なくとも一つの第１接続部材によって前記本体の少なくとも一つの側面に枢接されることを特徴とする、請求項１に記載の光ファイバ通信モジュールである。
【００１３】
本発明の請求項６にかかる光ファイバ通信モジュールは、前記第１接続部材が、ボルトであることを特徴とする、請求項５に記載の光ファイバ通信モジュールである。
【００１５】
本発明の請求項７にかかる光ファイバ通信モジュールは、前記第２接続部材が、リベットであることを特徴とする、請求項１に記載の光ファイバ通信モジュールである。
【００１６】
本発明にかかる（請求項８にかかる）光ファイバ通信装置は、回路基板と、前記回路基板に連結されたケージと、光ファイバ通信モジュールとを具備し、光ファイバ通信モジュールは、前記ケージに収納され、第２案内スロットを有する本体と、第１案内スロットを有し、前記本体に枢接されたハンドルと、前記本体の摺動スロットに摺動可能に取り付けられた少なくとも一つの摺動アームを有し、少なくとも一つの第２接続部材が前記第１案内スロットと前記第２案内スロットを貫通することによって前記本体および前記ハンドルと接続され、前記ハンドルが回転されると、前記摺動スロットに沿って摺動する、摺動部材と、を備えることを特徴とする。
【００１７】
本発明の請求項９にかかる光ファイバ通信装置は、前記摺動アームが、少なくとも一つの折れ曲がり部を含み、前記ケージが、さらに、少なくとも一つの弾性部材を設けられ、  前記弾性部材が、前記折れ曲がり部に当接することにより、前記光ファイバ通信モジュールを前記ケージにロック固定し、
前記摺動アームが、その一端部に凸部を有し、前記折れ曲がり部と前記凸部との間に斜面を設けられたことを特徴とする、請求項８に記載の光ファイバ通信装置である。
【００１８】
本発明の請求項１０にかかる光ファイバ通信装置は、前記凸部が、くさび形部であることを特徴とする、請求項９に記載の光ファイバ通信装置である。
【００１９】
本発明の請求項１１にかかる光ファイバ通信装置は、前記本体が、さらに、第１係止部を有し、前記ハンドルが、さらに、前記第１係止部に係止する第２係止部を有することを特徴とする、請求項８に記載の光ファイバ通信装置である。
【００２０】
本発明の請求項１２にかかる光ファイバ通信装置は、前記ハンドルが、少なくとも一つの第１接続部材によって前記本体の少なくとも一つの側面に枢接されることを特徴とする、請求項８に記載の光ファイバ通信装置である。
【００２１】
本発明の請求項１３にかかる光ファイバ通信装置は、前記第１接続部材が、ボルトであることを特徴とする、請求項１２に記載の光ファイバ通信装置である。
【００２３】
本発明の請求項１４にかかる光ファイバ通信装置は、前記第２接続部材が、リベットであることを特徴とする、請求項８に記載の光ファイバ通信装置である。
【発明の効果】
【００２４】
本発明の光ファイバ通信装置及びその光ファイバ通信モジュールによれば、光ファイバ通信モジュール本体に枢接されるハンドルを利用して摺動部材を連動させることにより、光ファイバ通信モジュールがケージとのロック固定/ロック解除状態を変換することができ、構造の安定性を向上するとともに、従来のような弾性部材による弾性疲労を回避し、製品の信頼性を向上することができる。
また、本発明の光ファイバ通信モジュールは、ハンドルと摺動部材の部材のみを利用し、光ファイバ通信モジュールをケージから容易に挿脱するとともに、ハンドルと摺動部材とを一体成形できるため、コストをさらに低減することができる。
【発明を実施するための最良の形態】
【００２５】
以下、図面を参照しながら、本発明の好適な実施例における光ファイバ通信装置及びその光ファイバ通信モジュールについて説明する。
【００２６】
図３に示すように、本発明の好適な実施例における光ファイバ通信装置２は、回路基板２１と、回路基板２１に連結されたケージ２２と、ケージ２２に収納された光ファイバ通信モジュール２０と、を備える。なお、光ファイバ通信装置２は、例えば、コンピューターシステムの一部分である。
【００２７】
また、ケージ２２には、回路基板２１に電気的に接続されたコネクタ２３も収納される。光ファイバ通信モジュール２０は、コネクタ２３を介して回路基板２１に連結される。
ここで、光ファイバ通信モジュール２０は、ケージ２２に挿脱可能に取り付けられる。
【００２８】
図４に示すように、光ファイバ通信モジュール２０は、本体２０１と、ハンドル２０２と、摺動部材２０３とを有する。
【００２９】
本体２０１は、ハウジング２０１１を含む。ハウジング２０１１には、例えば、光エミッタ、光検出器や駆動/受信回路モジュール等が収納される。
【００３０】
本実施例において、ハンドル２０２はＵ字形に形成され、少なくとも一つの第１接続部材２０４により本体２０１の少なくとも一側面に枢接される。
なお、ハンドル２０２の材料は、例えば、プラスチック、金属、合金、ステンレス、セラミックスのグループから選ばれたものである。また、第１接続部材２０４は、例えば、ボルトである。第１接続部材２０４は、ハンドル２０２の（左右の垂下部２０２４及び垂下部２０２４の）左右の枢支孔２０２２に挿入され、本体２０１に固定される。
【００３１】
摺動部材２０３は、第２接続部材２０５によって、ハンドル２０２に固定接続される。本実施例において、ハンドル２０２は、本体２０１の左右の側面の間の長さに対応する長さを有する横架部２０２３と、横架部２０２３の両端より垂直に突設された左右の垂下部２０２４及び垂下部２０２４と、両垂下部２０２４に設けられた第１案内スロット２０２１及び第１案内スロット２０２１とを含み、本体２０１は、ハンドル２０２の左右の第１案内スロット２０２１に対応する二つの第２案内スロット２０１３を含む。
ここで、第２接続部材２０５は、本体２０１の左右の側面の外から内へ向かって、左右の第１案内スロット２０２１と左右の第２案内スロット２０１３を貫通して、摺動部材２０３と本体２０１に固定接続される。
なお、摺動部材２０３の材料は、プラスチック、金属、合金、ステンレス、セラミックスのグループから選ばれたものである。また、第２接続部材２０５は、例えば、リベットである。
【００３２】
本実施例において、摺動部材２０３は、二つの摺動アーム２０３１を含む。これらの摺動アーム２０３１は、互いに平行に設置される。
本体２０１の両側面には、対向する摺動アーム２０３１と摺動アーム２０３１とに対応する摺動スロット２０１２がそれぞれ設けられる。摺動アーム２０３１は、摺動スロット２０１２に摺動可能で、対向する摺動アーム２０３１と摺動アーム２０３１とが二つの摺動スロット２０１２と摺動スロット２０１２との間に跨るように取り付けられる。
なお、両摺動アーム２０３１は、さらに、少なくとも一つの折れ曲がり部２０３２を含む。摺動アーム２０３１は、摺動スロット２０１２に対して内への折れ曲がりを形成するとともに、その一端部（自由端）に外への凸部２０３３が設けられる。
なお、折れ曲がり部２０３２と凸部２０３３との間に斜面２０３４が設けられる。
本実施例において、凸部２０３３は、例えば、くさび形部である。
図５に示すように、ケージ２２の対向する側面には、それぞれ、少なくとも一つの弾性部材２２１が設けられる。弾性部材２２１は、摺動アーム２０３１の折れ曲がり部２０３２に対応して内へ突設される。
光ファイバ通信モジュール２０がケージ２２にロック固定させると、ハンドル２０２が摺動アーム２０３１と垂直になり、且つ、摺動アーム２０３１が対応する本体２０１の両側面の摺動スロット２０１２に確実に収納されることにより、光ファイバ通信モジュール２０がケージ２２に挿入する際に、弾性部材２２１が折れ曲がり部２０３２に当接し、光ファイバ通信モジュール２０を前記ケージ２２に係止させる。
【００３３】
また、図４に示すように、本体２０１は、さらに、第１係止部２０６１を含む。
ハンドル２０２は、さらに、左右の垂下部２０２４の内側面に形成された第２係止部２０６２を含み、第１係止部２０６１が第２係止部２０６２と係止することにより、ハンドル２０２は本体２０１に係止される。
ここで、第１係止部２０６１は、例えば、突出部であり、第２係止部２０６２は、凹み部である。もちろん、第１係止部２０６１は、凹み部であり、第２係止部２０６２は、突出部であってもよい。
【００３４】
また、図６ないし図９を参照して、本発明の好適な実施例における光ファイバ通信モジュール２０がケージ２２から解放される動作を説明する。
まず、図６に示すように、ハンドル２０２は、本体２０１に係止されることにより、光ファイバ通信モジュール２０がロック固定状態にさせる。次に、図７と図８に示すように、ハンドル２０２に一角度を回転させるように外力を加えて、ハンドル２０２に接続する摺動部材２０３を連動して方向Dへ摺動する。
最後に、図９に示すように、折り曲がり部２０３２に当接する弾性部材２２１が斜面２０３４に沿って凸部２０３３に押されることにより、光ファイバ通信モジュール２０とケージ２２の係止状態が解除される。
【００３５】
以上、本発明の実施例を図面を参照して詳述してきたが、具体的な構成は、この実施例に限られるものではなく、本発明の要旨を逸脱しない範囲の設計変更などがあっても、本発明に含まれる。
【図面の簡単な説明】
【００３６】
【図１】従来の光ファイバ通信装置を示す斜視図である。
【図２】従来の光ファイバ通信モジュールのラッチ構造を示す分解斜視図である。
【図３】本発明の好適な実施例における光ファイバ通信装置を示す斜視図である。
【図４】本発明の好適な実施例における光ファイバ通信モジュールを示す分解斜視図である。
【図５】本発明の好適な実施例における光ファイバ通信モジュールがケージにロック固定された状態を示す斜視図である。
【図６】本発明の好適な実施例における光ファイバ通信モジュールがケージから解放される動作を示す断面図である。
【図７】本発明の好適な実施例における光ファイバ通信モジュールがケージから解放される動作を示す断面図である。
【図８】本発明の好適な実施例における光ファイバ通信モジュールがケージから解放される動作を示す断面図である。
【図９】本発明の好適な実施例における光ファイバ通信モジュールがケージから解放される動作を示す断面図である。
【符号の説明】
【００３７】
１              光ファイバ通信装置
１０            光ファイバ通信モジュール
１０１          ラッチ構造
１０２          第１摺動アーム
１０３          第２摺動アーム
１０４          ハンドル
１０５          凸部
１０６          弾性部材
１１            回路基板
１２            ケージ
１２１          弾性シート
１３            コネクタ
２              光ファイバ通信装置
２０            光ファイバ通信モジュール
２０１          本体
２０１１        ハウジング
２０１２        摺動スロット
２０１３        第２案内スロット
２０２          ハンドル
２０２１        第１案内スロット
２０２２        枢支孔
２０２３        横架部
２０２４        垂下部
２０３          摺動部材
２０３１        摺動アーム
２０３２        折れ曲がり部
２０３３        凸部
２０３４        斜面
２０３５        枢支孔
２０４          第１接続部材
２０５          第２接続部材
２０６１        第１係止部
２０６２        第２係止部
２１            回路基板
２２            ケージ
２２１          弾性部材
【図１】
0004439503.tif 000002
【図２】
0004439503.tif 000003
【図３】
0004439503.tif 000004
【図４】
0004439503.tif 000005
【図５】
0004439503.tif 000006
【図６】
0004439503.tif 000007
【図７】
0004439503.tif 000008
【図８】
0004439503.tif 000009
【図９】
0004439503.tif 000010